【手続補正書】
【提出日】平成30年3月19日(2018.3.19)
【手続補正１】
【補正対象書類名】特許請求の範囲
【補正対象項目名】全文
【補正方法】変更
【補正の内容】
【特許請求の範囲】
【請求項１】
アンビソニックオーディオデータを復号する方法であって、
オーディオ復号デバイスによって、複数の高次アンビソニック係数によって記述された音場のバックグラウンド成分を表す環境アンビソニック係数の無相関化された表現を取得することと、ここで、前記環境アンビソニック係数の前記無相関化された表現は、前記音場の１つまたは複数のフォアグラウンド成分から無相関化されており、ここにおいて、前記音場を記述する複数の高次アンビソニック係数のうちの少なくとも１つは、１またはゼロの次数を有する球面基底関数に関連付けられる、
前記オーディオ復号デバイスによって、複数の再相関化された環境アンビソニック係数を取得するために、再相関化変換を前記環境アンビソニック係数の前記無相関化された表現に適用することと
を備える方法。
【請求項２】
前記再相関化変換を適用することが、前記オーディオ復号デバイスによって、逆位相ベース変換を前記環境アンビソニック係数に適用することを備える、請求項１に記載の方法。
【請求項３】
前記逆位相ベース変換が、Ｎ３Ｄ（フル３Ｄ）正規化の１つに従って正規化されている、請求項２に記載の方法。
【請求項４】
前記逆位相ベース変換が、ＳＮ３Ｄ正規化（シュミット半正規化）に従って正規化されている、請求項２に記載の方法。
【請求項５】
前記環境アンビソニック係数が、０の次数または１の次数を有する球面基底関数に関連付けられ、前記逆位相ベース変換を適用することが、前記オーディオ復号デバイスによって、前記環境アンビソニック係数の前記無相関化された表現に対して位相ベース変換のスカラー乗算を実行することを備える、請求項２に記載の方法。
【請求項６】
前記オーディオ復号デバイスによって、環境アンビソニック係数の前記無相関化された表現が無相関化変換で前記１つまたは複数のフォアグラウンド成分から無相関化されたという指示を取得することをさらに備える、請求項１に記載の方法。
【請求項７】
前記オーディオ復号デバイスによって、前記複数の高次アンビソニック係数によって記述された前記音場の前記１つまたは複数のフォアグラウンド成分の空間特性を定義する１つまたは複数の空間成分を取得すること、ここで、前記空間成分は、球面調和領域において定義される、
前記オーディオ復号デバイスによって、前記再相関化された環境アンビソニック係数を、前記１つまたは複数の空間成分に基づいて取得された１つまたは複数のフォアグラウンドチャネルと組み合わせることと
をさらに備える請求項１に記載の方法。
【請求項８】
アンビソニックオーディオデータを処理するためのデバイスであって、
処理されるべき前記アンビソニックオーディオデータの少なくとも一部分を記憶するように構成されたメモリデバイスと、
前記メモリデバイスに結合された１つまたは複数のプロセッサとを備え、前記１つまたは複数のプロセッサは、
前記メモリデバイスへ記憶された前記アンビソニックオーディオデータの前記一部分から、複数の高次アンビソニック係数によって記述された音場のバックグラウンド成分を表す環境アンビソニック係数の無相関化された表現を取得することと、ここで、前記環境アンビソニック係数の前記無相関化された表現は、前記複数の高次アンビソニック係数によって記述された前記音場の１つまたは複数のフォアグラウンド成分から無相関化されており、ここにおいて、前記音場を記述する前記複数の高次アンビソニック係数のうちの少なくとも１つは、１またはゼロの次数を有する球面基底関数に関連付けられ、環境アンビソニック係数の前記無相関化された表現は、４つの係数シーケンスを備えるＣAMB,2、ＣAMB,3、およびＣAMB,4を備える、
複数の再相関化された環境アンビソニック係数を取得するために、再相関化変換を前記環境アンビソニック係数の前記無相関化された表現に適用することと
を行うように構成される、
デバイス。
【請求項９】
前記４つの係数シーケンスのうちの第１の係数シーケンスは左信号に関連付けられ、前記４つの係数シーケンスのうちの第２の係数シーケンスは右信号に関連付けられる、請求項８に記載のデバイス。
【請求項１０】
前記１つまたは複数のプロセッサが、前記再相関化変換の前記右信号と前記左信号への適用なしに、左スピーカーフィードとして前記左信号を使用し、右スピーカーフィードとして前記右信号を使用するように構成される、請求項９に記載のデバイス。
【請求項１１】
前記１つまたは複数のプロセッサが、モノオーディオシステムによる出力のために、前記左信号と前記右信号とを混合するように構成される、請求項９に記載のデバイス。
【請求項１２】
前記１つまたは複数のプロセッサが、前記再相関化された環境アンビソニック係数を１つまたは複数のフォアグラウンドチャネルと組み合わせるように構成される、請求項８に記載のデバイス。
【請求項１３】
前記１つまたは複数のプロセッサが、前記再相関化された環境アンビソニック係数と組み合わせるべきフォアグラウンドチャネルが利用可能ではないと決定するようにさらに構成される、請求項８に記載のデバイス。
【請求項１４】
前記１つまたは複数のプロセッサが、
前記複数の高次アンビソニック係数によって記述された前記音場がモノオーディオ再生システムを介して出力されるべきであると決定することと、
前記モノオーディオ再生システムによる出力のためのデータを含む前記無相関化された環境アンビソニック係数の少なくともサブセットを復号することと
を行うようにさらに構成される、請求項８に記載のデバイス。
【請求項１５】
前記１つまたは複数のプロセッサが、前記メモリデバイスへ記憶された前記アンビソニックオーディオデータの前記一部分から、環境アンビソニック係数の前記無相関化された表現が無相関化変換に基づいて前記１つまたは複数のフォアグラウンド成分から無相関化されるという指示を取得するようにさらに構成される、請求項１３に記載のデバイス。
【請求項１６】
前記１つまたは複数のプロセッサは、前記複数の再相関化された環境アンビソニック係数に基づいてスピーカーフィードを生成するように構成され、前記デバイスは、前記１つまたは複数のプロセッサに結合されたラウドスピーカーをさらに備え、前記ラウドスピーカーは、前記再相関化された環境アンビソニック係数に基づいて生成された前記スピーカーフィードを出力するように構成される、請求項８に記載のデバイス。
【請求項１７】
オーディオデータを圧縮するためのデバイスであって、
圧縮されるべき前記オーディオデータの少なくとも一部分を記憶するように構成されたメモリデバイスと、
前記メモリデバイスに結合された１つまたは複数のプロセッサとを備え、前記１つまたは複数のプロセッサが、
音場を記述し、前記メモリデバイスへ記憶された前記オーディオデータに含まれる複数の高次アンビソニック係数から、前記音場のバックグラウンド成分を表す環境アンビソニック係数を抽出することと、ここにおいて、前記複数の高次アンビソニック係数のうちの少なくとも１つは、１またはゼロの次数を有する球面基底関数に関連付けられる、
前記環境アンビソニック係数の無相関化された表現を取得するために、前記複数の高次アンビソニック係数によって記述された前記音場の１つまたは複数のフォアグラウンド成分から前記抽出された環境アンビソニック係数を無相関化するために位相ベース変換を環境アンビソニック係数に適用することと、
前記環境アンビソニック係数の前記無相関化された表現に基づいてオーディオ信号を前記メモリデバイスへ記憶することと
を行うように構成される、
デバイス。
【請求項１８】
前記１つまたは複数のプロセッサが、１つまたは複数のフォアグラウンドチャネルとともに、前記オーディオ信号に含めるようにさらに構成される、請求項１７に記載のデバイス。
【請求項１９】
前記１つまたは複数のプロセッサが、前記オーディオ信号に関連付けられたターゲットビットレートが所定の閾値を満たすかまたは超えるという決定に応答して、１つまたは複数のフォアグラウンドチャネルとともに前記無相関化された環境アンビソニック係数をシグナリングするように構成される、請求項１７に記載のデバイス。
【請求項２０】
前記１つまたは複数のプロセッサが、前記メモリデバイスへ記憶された前記オーディオ信号のいかなるフォアグラウンドチャネルもシグナリングすることなしに、前記メモリデバイスへ記憶された前記オーディオ信号の前記無相関化された環境アンビソニック係数をシグナリングするようにさらに構成される、請求項１７に記載のデバイス。
【請求項２１】
前記１つまたは複数のプロセッサが、前記オーディオ信号に関連付けられたターゲットビットレートが所定の閾値を下回るという決定に応答して、前記メモリデバイスへ記憶された前記オーディオ信号のいかなるフォアグラウンドチャネルもシグナリングすることなしに、前記メモリデバイスへ記憶された前記オーディオ信号の前記無相関化された環境アンビソニック係数をシグナリングするように構成される、請求項２０に記載のデバイス。
【請求項２２】
前記１つまたは複数のプロセッサが、前記無相関化変換が前記環境アンビソニック係数に適用されているという指示を、前記記憶されたオーディオ信号に含めるようにさらに構成される、請求項２１に記載のデバイス。
【請求項２３】
前記１つまたは複数のプロセッサに結合されたマイクロフォンをさらに備え、前記マイクロフォンは、圧縮されるべき前記オーディオデータをキャプチャするように構成される、請求項１７に記載のデバイス。
【請求項２４】
アンビソニックオーディオデータを処理するためのデバイスであって、
処理されるべき前記アンビソニックオーディオデータの少なくとも一部分とＵｓｅＰｈａｓｅＳｈｉｆｔＤｅｃｏｒｒフラグとを記憶するように構成されたメモリデバイスと、
前記メモリデバイスに結合された１つまたは複数のプロセッサとを備え、前記１つまたは複数のプロセッサは、
前記ＵｓｅＰｈａｓｅＳｈｉｆｔＤｅｃｏｒｒフラグの値が１に等しいと決定することと、
前記ＵｓｅＰｈａｓｅＳｈｉｆｔＤｅｃｏｒｒの前記値が１に等しいことに基づいて、前記メモリデバイスへ記憶された前記アンビソニックオーディオデータの前記一部分から、複数の高次アンビソニック係数によって記述された音場のバックグラウンド成分を表す環境アンビソニック係数の無相関化された表現を取得することと、ここで、前記環境アンビソニック係数の前記無相関化された表現は、前記複数の高次アンビソニック係数によって記述された前記音場の１つまたは複数のフォアグラウンド成分から無相関化されており、ここにおいて、前記音場を記述する前記複数の高次アンビソニック係数のうちの少なくとも１つは、１またはゼロの次数を有する球面基底関数に関連付けられる、
複数の再相関化された環境アンビソニック係数を取得するために、再相関化変換を前記環境アンビソニック係数の前記無相関化された表現に適用することと
を行うように構成される、
デバイス。
【請求項２５】
前記メモリに結合されたインターフェースをさらに備え、前記インターフェースは、
前記アンビソニックオーディオデータの少なくとも一部分を備えるビットストリームを受信することと、
前記ＵｓｅＰｈａｓｅＳｈｉｆｔＤｅｃｏｒｒフラグを受信することと
を行うように構成される、
請求項２４に記載のデバイス。
【請求項２６】
前記１つまたは複数のプロセッサは、前記複数の再相関化された環境アンビソニック係数に基づいてスピーカーフィードを生成するように構成される、請求項２４に記載のデバイス。
【請求項２７】
前記１つまたは複数のプロセッサに結合されたラウドスピーカーをさらに備え、前記ラウドスピーカーは、前記再相関化された環境アンビソニック係数に基づいて生成された前記スピーカーフィードを出力するように構成される、請求項２６に記載のデバイス。
【請求項２８】
前記１つまたは複数のプロセッサは、前記複数の再相関化された環境アンビソニック係数を使用して前記音場を再構成するようにさらに構成される、請求項２４に記載のデバイス。
【請求項２９】
アンビソニックオーディオデータを処理するためのデバイスであって、
処理されるべき前記アンビソニックオーディオデータの少なくとも一部分を記憶するように構成されたメモリデバイスと、
前記メモリデバイスに結合された１つまたは複数のプロセッサとを備え、前記１つまたは複数のプロセッサは、
前記メモリデバイスへ記憶された前記アンビソニックオーディオデータの前記一部分から、複数の高次アンビソニック係数によって記述された音場のバックグラウンド成分を表す環境アンビソニック係数の無相関化された表現を取得することと、ここで、前記環境アンビソニック係数の前記無相関化された表現は、前記複数の高次アンビソニック係数によって記述された前記音場の１つまたは複数のフォアグラウンド成分から無相関化されており、ここにおいて、前記音場を記述する前記複数の高次アンビソニック係数のうちの少なくとも１つは、１またはゼロの次数を有する球面基底関数に関連付けられ、前記環境アンビソニック係数の前記無相関化された表現は、４つの係数シーケンスを備えるＣI,AMB,1、ＣI,AMB,2、ＣI,AMB,3、およびＣI,AMB,4を備える、
複数の再相関化された環境アンビソニック係数を取得するために、再相関化変換を前記環境アンビソニック係数の前記無相関化された表現に適用することと、を行うように構成され、ここにおいて、前記再相関化変換を適用するために、前記１つまたは複数のプロセッサは、
前記再相関化変換の係数ｃ（０）と、前記係数シーケンスＣI,AMB,1およびＣI,AMB,2の間の差との第１の乗算の結果に基づいて第１の位相シフトされた信号を生成することと、
前記再相関化変換の係数ｃ（１）と、前記係数シーケンスＣI,AMB,1およびＣI,AMB,2の合計との第２の乗算の結果に基づいて第２の位相シフトされた信号を生成することと
を行うように構成される、
デバイス。
【請求項３０】
前記１つまたは複数のプロセッサは、
第１の位相シフトされた信号、前記再相関化変換の係数ｃ（３）、前記再相関化変換の係数ｃ（２）、および前記係数シーケンスＣI,AMB,1およびＣI,AMB,2に基づいて第１の組合せを生成することと、
第２の位相シフトされた信号、前記再相関化変換の係数ｃ（５）、前記係数シーケンスＣI,AMB,1およびＣI,AMB,2の間の差、前記再相関化変換の係数ｃ（６）、および前記係数シーケンスＣI,AMB,3に基づいて第２の組合せを生成することと、
前記係数シーケンスＣI,AMB,4を取得することと、
前記再相関化変換の係数ｃ（４）、前記係数シーケンスＣI,AMB,1およびＣI,AMB,2、および前記第１の位相シフトされた信号に基づいて第３の組合せを生成することと
を行うようにさらに構成される、
請求項２９に記載のデバイス。
【請求項３１】
前記再相関化変換は、前記係数ｃ（０）、前記係数ｃ（１）、前記係数ｃ（２）、前記係数ｃ（３）、前記係数ｃ（４）、前記係数ｃ（５）、および前記係数ｃ（６）を備える係数のセットに少なくとも部分的に基づく逆位相ベース変換を備え、前記係数ｃ（０）、前記係数ｃ（１）、前記係数ｃ（２）、前記係数ｃ（３）、前記係数ｃ（４）、前記係数ｃ（５）、および前記係数ｃ（６）の各々は、異なる値を有する、請求項３０に記載のデバイス。
【請求項３２】
前記第１の組合せは、
前記係数ｃ（３）と前記第１の位相シフトされた信号との第３の乗算の結果、前記係数ｃ（２）と、前記係数シーケンスＣI,AMB,1およびＣI,AMB,2の前記合計との第４の乗算の結果、および前記第３の乗算の結果と前記第４の乗算の結果との合計に基づく、
請求項３０に記載のデバイス。
【請求項３３】
前記第２の組合せは、
前記係数ｃ（５）と、前記係数シーケンスＣI,AMB,1およびＣI,AMB,2の間の前記差との第３の乗算の結果、前記係数ｃ（６）と前記係数シーケンスＣI,AMB,3との第４の乗算の結果、および前記第３の乗算の結果と前記第４の乗算の結果と前記第２の位相シフトされた信号との合計に基づく、
請求項３０に記載のデバイス。
【請求項３４】
前記第３の組合せは、
前記係数ｃ（４）と前記係数シーケンスＣI,AMB,1およびＣI,AMB,2の前記合計との乗算の結果、および前記乗算の結果と前記第１の位相シフトされた信号との合計に基づく、
請求項３０に記載のデバイス。
【請求項３５】
前記１つまたは複数のプロセッサは、前記複数の再相関化された環境アンビソニック係数に基づいてスピーカーフィードを生成するように構成される、請求項２９に記載のデバイス。
【請求項３６】
前記１つまたは複数のプロセッサに結合されたラウドスピーカーをさらに備え、前記ラウドスピーカーは、前記再相関化された環境アンビソニック係数に基づいて生成された前記スピーカーフィードを出力するように構成される、請求項３５に記載のデバイス。
【請求項３７】
前記１つまたは複数のプロセッサは、前記複数の再相関化された環境アンビソニック係数係数を使用して前記音場を再構成するようにさらに構成される、請求項２９に記載のデバイス。
【請求項３８】
前記オーディオ復号デバイスによって、前記再相関化変換を前記環境アンビソニック係数の前記無相関化された表現に前記適用することから取得された前記複数の再相関化された環境アンビソニック係数に基づいて、スピーカーフィードを生成することをさらに備える、請求項１に記載の方法。
【請求項３９】
前記１つまたは複数のプロセッサは、前記再相関化変換を前記環境アンビソニック係数の前記無相関化された表現に前記適用することから取得された前記複数の再相関化された環境アンビソニック係数に基づいて、スピーカーフィードを生成するようにさらに構成される、請求項８に記載のデバイス。
【請求項４０】
前記１つまたは複数のプロセッサが、ステレオ再生システムによる出力のために、前記左信号に基づいて左スピーカーフィードを生成し、前記右信号に基づいて右スピーカーフィードを生成するように構成される、請求項９に記載のデバイス。